(57)【特許請求の範囲】
【請求項１】
第１の材料によって作られたフレームを有する計時器の外側要素（１）であって、
前記外側要素は、さらに、少なくとも１つの光センサー（１２０）を有し、
前記光センサーは、光の入射方向から複数のフォトクロミック区画（１２０１）の方へと光を導く入射区画（１２０２）を有する光導波路（１２００）によって形成され、
前記フォトクロミック区画は、特定波長に対して感受性があるフォトクロミック色素を含んでおり、
各区画は、前記フォトクロミック色素が前記特定波長の特定の放射強度に反応して、前記特定の放射強度に到達すると第１の色から第２の色へと変化するように、構成しており、
前記色素の濃度（Ｃ）は、各区画の間で異なり、
前記フォトクロミック区画は、光の入射方向に垂直な方向に沿って配置されており、
前記複数のフォトクロミック区画は、前記入射区画の側方に配置されており、各区画における色素の濃度が前記入射区画の側から増加しており、
前記フォトクロミック区画（１２０１）は、紫外線保護層（１２０４）で被覆されており、これによって、前記区画に入射する光は、前記入射区画のみを介して入射する
ことを特徴とする外側要素。
【請求項２】
前記フォトクロミック区画（１２０１）は、最低の紫外線放射強度から最高の紫外線放射強度までの増加する順番で配置されている
ことを特徴とする請求項１に記載の外側要素。
【請求項３】
前記フォトクロミック区画は、最低の紫外線放射強度に反応するフォトクロミック区画（１２０１）の色素濃度が最低であり、色素濃度（Ｃi）が紫外線放射強度の関数として増加するように構成している
ことを特徴とする請求項２に記載の外側要素。
【請求項４】
前記フォトクロミック区画はすべて、休み状態において、同じ第１の色を有する
ことを特徴とする請求項１又は２に記載の外側要素。
【請求項５】
前記フォトクロミック区画はすべて、特定の紫外線放射しきい値から同じ第２の色を有する
ことを特徴とする請求項４に記載の外側要素。
【請求項６】
前記フォトクロミック区画は、第２の色が、前記フォトクロミック区画がすべて前記第１の色から前記第２の色に変わったときに、シェーディングを発生させるように構成している
ことを特徴とする請求項４に記載の外側要素。
【請求項７】
前記入射区画（１２０２）は、光が前記フォトクロミック区画の方に導かれることを可能にするような微細構造（１２０３）を有する
ことを特徴とする請求項１〜６のいずれかに記載の外側要素。
【請求項８】
前記フレームには、少なくとも１つの空欠部があり、この空欠部内に、光センサーが配置されている
ことを特徴とする請求項１〜７のいずれかに記載の外側要素。
【請求項９】
前記フレームは、ベゼル（１１４）である
ことを特徴とする請求項１〜８のいずれかに記載の外側要素。
【請求項１０】
前記フレームは、風防（１０８）である
ことを特徴とする請求項１〜８のいずれかに記載の外側要素。
【請求項１１】
前記フレームは、腕時計ケース（１０２）のケース中間部（１０４）である
ことを特徴とする請求項１〜８のいずれかに記載の外側要素。
【請求項１２】
前記フレームは、腕輪ないし腕時計バンド（１１０）である
ことを特徴とする請求項１〜８のいずれかに記載の外側要素。
【請求項１３】
前記腕輪は、プラスチック材料によって作られた２つの腕輪ストランド（１１０ａ）を有し、これらの２つの腕輪ストランド上に、前記光センサーが配置されている
ことを特徴とする請求項１２に記載の外側要素。
【請求項１４】
前記腕輪は、互いにヒンジ付けされた複数のリンク（１１０ａ）を有し、
少なくとも１つのリンク上に前記光センサーが配置されている
ことを特徴とする請求項１２に記載の外側要素。
【請求項１５】
前記腕輪は、折りたたみ式バックルクラスプ（１１１）によって閉じられ、
このクラスプ上に前記光センサーが配置されている
ことを特徴とする請求項１２に記載の外側要素。
【請求項１６】
前記フレームは、竜頭である
ことを特徴とする請求項１〜８のいずれかに記載の外側要素。
【請求項１７】
前記フォトクロミック色素は、紫外線放射に反応するように選択される
ことを特徴とする請求項１〜１６のいずれかに記載の外側要素。
【発明の詳細な説明】
【技術分野】
【０００１】
本発明は、第１の材料によって作られたフレームを有し、さらに、少なくとも１つの光センサーを有する計時器用外側要素に関する。
【背景技術】
【０００２】
紫外線ないしＵＶ線を検出するセンサーを備えた、腕時計のような携行可能な物が知られている。これらのデバイスは、ＵＶフィルターを伴うＧａＡｓＰ部品からなる半導体紫外線センサーを有する。
【０００３】
これらの半導体紫外線センサーの１つの課題は、ディスプレーの際に遅れがあることと、高価であることである。また、これらのセンサーが電子的であるので、機械式腕時計において用いることは望ましくない。
【０００４】
別の既知の可能性は、フォトクロミック色素、すなわち、光に応じて色が変わる色素、を含有するプラスチック製の腕輪ないし腕時計バンドを用いることである。このようなフォトクロミック色素は、紫外線波長を含む複数の波長に対して感受性があるように選択することができる。
【０００５】
このタイプの腕輪ないし腕時計バンドの１つの課題は、これらの色が単一であり、紫外光のレベルに応じた色の変化がこの単一の色の周辺であることである。このことは、第１の色が緑色の腕輪が、紫外線の強度に応じて青白い緑から暗い緑まで暗さが変わるということを意味している。
【０００６】
このタイプの製品の１つの課題は、インジケーションが正確ではないことである。なぜなら、特定のシェードを紫外線の１つのレベルに関連づけることは難しいからである。
【発明の概要】
【発明が解決しようとする課題】
【０００７】
本発明は、実装することが容易であり、かつ、読み取ることができ信頼できる形態で光インジケーションを行うことができるような携行可能な物を提案することによって、前記の従来技術の課題を克服するような外側要素に関する。
【課題を解決するための手段】
【０００８】
このために、本発明は、第１の材料によって作られたフレームを有する計時器の外側要素であって、前記外側要素は、さらに、少なくとも１つの光センサーを有し、前記光センサーは、光の入射方向から複数のフォトクロミック区画の方へと光を導く入射区画を有する光導波路によって形成され、前記フォトクロミック区画は、特定波長に対して感受性があるフォトクロミック色素を含んでおり、各区画は、前記フォトクロミック色素が前記特定波長の特定の放射強度に反応して、前記特定の放射強度に到達すると第１の色から第２の色へと変化するように、構成しており、前記色素の濃度は、各区画の間で異なり、前記フォトクロミック区画は、光の入射方向に垂直な方向に沿って配置されており、前記複数のフォトクロミック区画は、前記入射区画の側方に配置されており、各区画における色素の濃度が前記入射区画の側から増加しており、前記フォトクロミック区画は、紫外線保護層で被覆されており、これによって、前記区画に入射する光は、前記入射区画のみを介して入射するものを提供することを目的とする。
【０００９】
本発明に係る光センサーを少なくとも１つ備えるこの外側要素には、読み取ることが容易であるという利点がある。なぜなら、色が変化することによって、光強度しきい値を超えたことのインジケーションをするからである。また、エネルギーを多く消費する電子システムを用いることを避けることができる。
【００１０】
第１の好ましい実施形態において、前記区画は、最低の光強度から最高の光強度までの増加する順番で配置されている。
【００１１】
第２の好ましい実施形態において、前記区画は、最低の光強度に反応する区画の色素濃度が最低であり、色素濃度が光強度の関数として増加するように構成している。
【００１２】
第３の好ましい実施形態において、前記区画はすべて、同じ第１の色を有する。
【００１３】
第４の好ましい実施形態において、前記区画はすべて、同じ第２の色を有する。
【００１４】
第５の好ましい実施形態において、前記区画は、第２の色が、前記区画がすべて前記第１の色から前記第２の色に変わったときに、シェーディングを発生させるように構成している。
【００１５】
第６の好ましい実施形態において、前記入射区画は、光がフォトクロミック区画の方に導かれることを可能にするような微細構造を有する。
【００１６】
別の好ましい実施形態において、前記フレームには、少なくとも１つの空欠部があり、この空欠部内に、パスティール材が配置されている。
【００１７】
別の好ましい実施形態において、前記フレームは、ベゼルである。
【００１８】
別の好ましい実施形態において、前記フレームは、風防である。
【００１９】
別の好ましい実施形態において、前記フレームは、腕時計ケースのケース中間部である。
【００２０】
別の好ましい実施形態において、前記フレームは、腕輪ないし腕時計バンドである。
【００２１】
別の好ましい実施形態において、前記腕輪は、プラスチック材料によって作られた２つの腕輪ストランドを有し、これらの２つの腕輪ストランド上に、前記光センサーが配置されている。
【００２２】
別の好ましい実施形態において、前記腕輪は、互いにヒンジ付けされた複数のリンクを有し、少なくとも１つのリンク上に前記光センサーが配置されている。
【００２３】
別の好ましい実施形態において、前記腕輪は、折りたたみ式バックルクラスプによって閉じられ、このクラスプ上に前記光センサーが配置されている。
【００２４】
別の好ましい実施形態において、前記フレームは、竜頭である。
【００２５】
別の好ましい実施形態において、前記フォトクロミック色素は、紫外線放射に反応するように選択される。
【００２６】
図面を検討しながら以下の説明を読むことで、このタイプの外側要素の利点を明確に理解することができるであろう。
【図面の簡単な説明】
【００２７】
【図１】本発明に係る計時器の概略図を示している。
【図２】本発明に係る計時器の概略図を示している。
【図３】本発明に係る外側要素を形成するベゼルの概略図を示している。
【図４】本発明に係る外側要素を形成するベゼルの概略図を示している。
【図５】本発明に係る外側要素を形成する風防の概略図を示している。
【図６】本発明に係る外側要素を形成する風防の概略図を示している。
【図７】本発明に係る外側要素を形成するケース中間部の概略図である。
【図８】本発明に係る外側要素を形成する腕輪ストランドの概略図である。
【図９】本発明に係る外側要素を形成する腕輪ストランドのリンクの概略図を示している。
【図１０】本発明に係る外側要素を形成する腕輪クラスプの概略図を示している。
【図１１】本発明に係る外側要素を形成する腕輪クラスプの概略図を示している。
【図１２】本発明に係る外側要素を形成する表盤の概略図を示している。
【図１３】本発明に係る外側要素を形成する表盤の概略図を示している。
【図１４】本発明の第２の実施形態の概略図である。
【発明を実施するための形態】
【００２８】
図１〜１３は、既知の実施形態を示しており、情報を提供するために示している。
【００２９】
本発明は、計時器又は腕時計１００の外側要素１に関する。
【００３０】
図１及び２に示す計時器１００は、例えば、腕時計であり、ケース１０２を有する。このケースは、ケース中間部１０４によって形成されており、これは、裏蓋１０６と風防１０８によって閉じられる。この計時器は、さらに、腕輪ないし腕時計バンド１１０を有する。この腕輪ないし腕時計バンド１１０は、２対のホーン１１２を介してケース中間部に固定される。腕輪を２つの腕輪ストランドによって形成して、各ストランドは、１対のホーンに固定されており、クラスプを介して他方のストランドに接続される。
【００３１】
外側要素１は、第１の材料によって作られたフレームを有する。この第１の材料は、金属性又はプラスチックの材料であることができる。
【００３２】
前記フレーム上に、少なくとも１つの光センサー１２０が配置される。この光センサーは、ユーザーが基準に対する現在の光強度を見ることができるようにするために用いられる。実際に、紫外線放射強度に関する情報を提供するために用いられるＵＶ指数が知られている。したがって、最小しきい値があり、これに基づいて、紫外線放射強度に関する情報を見ることができる。
【００３３】
好ましいことに、本発明によると、光センサーは、少なくとも１つのフォトクロミックパスティール材１２２を有する。このフォトクロミックパスティール材は、主として、米国特許第５２０８１３２Ａに定められるもののように、フォトクロミック色素によって作られている。これは、有機又は無機マトリックスにおいて分散されている。このマトリックスは、この色素の支持体としてはたらくバインダーである。
【００３４】
このようなフォトクロミック色素は、第１の色を有しているが、放射強度が前記色素に特有の値に達すると、第２の色に変わる。ここで、この放射強度は、波長が１００〜４００ｎｍである紫外線の放射強度である。
【００３５】
この特徴によって、紫外線放射強度しきい値を超えることを視覚的に示すことが可能になる。
【００３６】
好ましい実施形態において、光センサーは、光強度のスケールをディスプレーすることができる。これを達成するために、光センサーは、複数のフォトクロミックパスティール材１２２を有する。ピエゾクロミックパスティール材はそれぞれ、特定の強度で反応する色素を含有する。結果的に、各パスティール材１２２は、特定の放射強度に達すると、色を変える。光強度のスケールを達成するために、複数のパスティール材１２２における特定の放射強度は、増加するような強度である。したがって、携行可能な物を携行しているユーザーが太陽光の下に移動すると、複数のパスティール材どうしの色は段階的に変化しており、これによって、視覚的なインジケーションを提供する。これらのパスティール材１２２どうしは、互いに接合されたり、離されたりする。
【００３７】
好ましい変種において、光強度のスケールを形成する様々なパスティール材の色はすべて、休み状態において第１の色である。すなわち、同一の色である。このことは、最小のしきい値よりも光強度のレベルが小さければ、パスティール材の色がすべて同じであることを意味している。
【００３８】
別の好ましい変種において、光強度のスケールを形成する様々なパスティール材の色はすべて、このような特定のしきい値に到達していれば、第２の色となる。すなわち、これらのパスティール材の色はすべて同じとなる。このことは、測定可能な最大の光強度においては、パスティール材の色がすべて同じであることを意味している。
【００３９】
別の好ましい変種において、光強度のスケールを形成する様々なパスティール材はすべて、同じ第１の色を有するが、これらのすべての第２の色が同じではないようにされて、シェーディングを発生させることができるようにされる。具体的には、これらのパスティール材は、光強度のスケールを形成するときに、色が変わる第１のパスティール材群が、色が変わる最後のパスティール材群よりも明るい第２の色を有するように構成している。例えば、第１のパスティール材群は黄色になり、最後のパスティール材群は赤色になる。このことは、以下の二重のインジケーションを与える。すなわち、ユーザーは、色が変わっているパスティール材の数が増加していると光強度が増加していることをわかるだけではなく、色が変動しており暗くなったりしていると最大強度に近いこともわかる。
【００４０】
ここで、フォトクロミック色素が可逆的なタイプのものであることを理解することができるであろう。このことは、特定の光強度しきい値に達したり超えたりすると、色素が、第１の色から第２の色に色を変えるが、光強度が再び特定のしきい値よりも下になると、色素が第２の色から第１の色に変わることを意味している。
【００４１】
色素分散に用いられるマトリックスは、様々な種類のものであることができる。
【００４２】
第１のマトリックスカテゴリーは、インク、ラッカー及び塗料を含む。このマトリックスは、少なくとも１種類の溶媒、可塑剤及び分散剤とともに混合されたエラストマーのバインダーによって構成している。このようなマトリックスは、架橋されたポリウレタンであることができる。
【００４３】
第２のマトリックスカテゴリーは、熱可塑性のグラニュールを含む。このマトリックスは、少なくとも１種類の分散剤と可塑剤と混合された樹脂によって構成している。
【００４４】
第３のマトリックスカテゴリーは、ゴム混合物を含む。このマトリックスは、少なくとも荷電物質と混合されたエラストマー、分散剤及び加硫システムによって構成している。そして、このカテゴリーは、前記フォトクロミック色素を含有するインサートを作ってモザイクを形成することができる。
【００４５】
第４のマトリックスカテゴリーは、熱硬化性の混合物を含有する。この混合物は、少なくとも１つの分散剤と混合された液体樹脂によって構成している。
【００４６】
したがって、透明な有機／無機のインサート（ポリメタクリル酸メチル、アクリル樹脂、エポキシ、化学式ＳｉＯ2、Ａｌ2Ｏ3又はＣの未処理ガラス）の形態を有するパスティール材を得ることができる。このインサートを、フォトクロミック色素ベースのインクを用いて表面上にシルクスクリーンすることができ、あるいはフォトクロミックインクを、インサートを形成する材料に分散させることができる。
【００４７】
第１の実装において、図３及び４に示すように、外側要素はベゼル１１４である。このベゼル１１４は、回転するベゼル又は固定されたベゼルであることができる。固定されたベゼルである場合には、ベゼルは、回転できないようにケース中間部に固定されたリングであったり、あるいはケース中間部１０４に直接組み入れられて、これによって、ケース中間部−ベゼルを形成したりする。
【００４８】
このようなベゼル１１４には、ユーザーに見られる面である上側壁１１４ａと、及び回転するベゼルの場合に、ユーザーがベゼルを回転させることを可能にする鉛直方向の壁１１４ｂとがある。
【００４９】
この実施形態において、光電色素を含有するパスティール材１２２が、可視面としてはたらく上側壁１１４ａ上に配置される。
【００５０】
パスティール材１２２がインクないし塗料の形態を有する場合に、これらのパスティール材は、前記上側壁上にシルクスクリーンされる。また、スケールもシルクスクリーンされて、数字のインジケーションを前記のフォトクロミックパスティール材に関連づけることができる。もちろん、異なるパスティール材１２２ａによって、５００ルクス、１０００ルクス、２００００ルクス及び１０００００ルクスのような重要な値をディスプレーすることができる。
【００５１】
パスティール材がインサートの形態を有する場合に、ベゼル１１４の上側壁１１４ａに空欠部（図示せず）を設ける。空欠部の数は、インサートの数と同じである。ここで、インサートを、例えば、接着結合によって、空欠部内に配置して固定することができる。しかし、インサートを空欠部内においてオーバーモールドすることもできる。これによって、金属ベゼルにゴム製インサートがあれば、ベゼルが二材料の外観を有するようになる。
【００５２】
ベゼルの４分の１、３分の１又は半分の位置上に、光センサー１２０を配置することができる。
【００５３】
図５及び６に示す第２の実施形態において、外側要素は、携行可能な物の風防１０８である。この風防１０８は、ケース中間部１０４に固定されており、取り付けのために上側面１０８ａ、下側面１０８ｂ及び側方縁部１０８ｃを有する。
【００５４】
この第２の実施形態において、フォトクロミックパスティール材１２２が、風防の上側面１０８ａ上に配置されている。選択された透明材料がＵＶ放射を通過させる場合、これらのパスティール材１２２を風防の下側面に配置することができる。
【００５５】
パスティール材１２２がインクないし塗料の形態を有する場合、これらのパスティール材は、上側面１０８ａ上にシルクスクリーンされる。また、スケールもシルクスクリーンして、フォトクロミックパスティール材に数字のインジケーションを関連づけることができる。このスケールも、ベゼル上でシルクスクリーンすることができる。
【００５６】
変種の１つにおいて、風防には、非常に小さな高さの空欠部１０８ｄがある。これらの空欠部によって、風防１０８の表面が完全に滑らかであることを確実にしつつ、フォトクロミックインクをその空欠部に配置することができる。これによって、衝撃によって前記インクが欠けてなくなるリスクを減らすことができる。
【００５７】
パスティール材１２２がインサートの形態を有する場合には、風防１０８の上側面１０８ａには、空欠部１０８ｄがある。空欠部の数は、インサートの数と同じである。ここで、例えば、接着結合によって、インサートを空欠部内に配置して固定することができる。しかし、空欠部においてインサートをオーバーモールドすることもできる。このようにして、二材料の外観を備えた風防を得ることができる。
【００５８】
これらの両方の場合において、フォトクロミックパスティール材１２２を風防の上側面上に配置することができるが、光強度の数字については、表盤上に配置したり、風防の下に配置することができる。
【００５９】
図７に示す第３の実施形態において、外側要素３０は、携行可能な物のケース中間部１０４である。
【００６０】
第１及び第２の実施形態におけるように、インク又はインサートの形態のフォトクロミックパスティール材１２２を、ケース中間部上に直接配置したり、このケース中間部に形成されている空欠部内に配置したりする。光強度インジケータの数字を、ケース中間部上にシルクスクリーンしたり、ケース中間部にエッチングしたりすることができる。
【００６１】
第４の実施形態において、外側要素は、腕輪ないし腕時計バンド１１０である。実際に、計時器には、２対のホーンを介してケース中間部に固定された腕輪が設けられている。
【００６２】
図８に示す第１の場合において、腕輪１１０は、２つの腕輪ストランド１１０ａによって形成されており、各ストランドは、１対のホーン１１２に固定されており、クラスプ１１１を介して他方のストランドに接続される。好ましくは、腕輪ストランド１１０ａは、ゴム又はプラスチックで作られている。
【００６３】
フォトクロミックパスティール材１２２の構成には、いくつかの手法が考えられる。
【００６４】
第１の手法は、インクペレットを用いて、前記インクを腕輪ストランドの表面に堆積させることを伴う。
【００６５】
第２の手法は、パスティール材インサートを用いて、前記インサートを腕輪リンクに設けられた空欠部内に配置して固定することを伴う。
【００６６】
第３の手法は、インクペレットを用いて、前記インクを可撓性支持体に堆積させることを伴う。そして、この可撓性支持体が、パスティール材群を見ることができるように、腕輪ストランドの内側に挿入される。
【００６７】
図９に示す第２の場合において、腕輪は、金属で作られており、そして、ピンによって互いに取り付けられている複数のリンク１１０ｂによって形成されている。このことによって、フォトクロミックパスティール材を担持することができ、互いに対して回転することができるリンク１１０ｂを得ることができる。
【００６８】
この腕輪ストランドは、さらに、クラスプを有する。クラスプは、ここにおいて、折りたたみ式バックル１１１の形態で示されている。この折りたたみ式バックルは、概して、互いにヒンジ付けされたサイドバーのような３つの部分１１１ａ、１１１ｂ、１１１ｃによって形成されている。これらの部分のうちの２つは、リンクに固定される。
【００６９】
このようにして、折りたたみ式バックルを形成しているこれらの部分は、互いにヒンジ付けされ、これらの部分の１つが他のものの上に位置し、これらの３つの部分１１１ａ、１１１ｂ、１１１ｃが１つの部品を形成するように構成している。この構成によって、ユーザーの手首に取り付けるために腕輪を瞬間的に伸ばすことができる。
【００７０】
そして、インク又はインサートの形態のフォトクロミックパスティール材が、前記腕輪のリンク１１０ｂにおいて、直接腕輪上に又は腕輪に形成された空欠部内に、配置される。
【００７１】
好ましくは、リンク１１０ｂはそれぞれ、フォトクロミックパスティール材を担持する。
【００７２】
さらに好ましくは、フォトクロミックパスティール材は、６時の位置にあるホーンの対と折りたたみ式バックルの間に配置されたリンク上に配置される。実際に、計時器がユーザーの手首上にあるときに、６時の位置のホーンの対と折りたたみ式バックルの間に位置するリンクが、ユーザーにとって最もアクセス性が良い。ユーザーがそれらを見るためには、自分の手首を回すだけでよい。ユーザーの腕がテーブルやデスク上にあるときに、それらをさらによく見ることができる。この構成によって、良好な可視性を提供しつつ、風防又はベゼル上にパスティール材を設けることによって、表盤上に可視的なディスプレーを過剰に設けることを防ぐことができる。
【００７３】
図１０〜１２に示す第５の実施形態において、外側要素は、クラスプ１１１、すなわち、腕輪の折りたたみ式バックルである。この折りたたみ式バックルは、概して、互いにヒンジ付けされたサイドバーのような３つの部分から形成されている。これらの部分のうちの２つは、リンクに固定される。このようにして、折りたたみ式バックルを形成するこれらの部分は、互いにヒンジ付けされ、これによって、これらの１つが他のものの上に位置して、３つの部分が単一の部品を形成するように構成している。いくつかの折りたたみ式バックルのモデルにおいては、前記部分のうちの１つがメイン部分１１１ａとしてはたらく。なぜなら、このメイン部分が他の２つの部分１１１ｂ、１１１ｃを収容するからである。このメイン部分は、外部から見える部分である。したがって、ユーザーは、外部から、金属板の形態の１つの部分を見ることとなる。この金属板上には、商標名のようなマーキングの刻印などを行うことができる。
【００７４】
好ましいことに、本発明は、この表面を光センサー構成のために用いる。このようにして、図１０に示すように、折りたたみ式バックルの中央部１１１ａのこの表面上に、フォトクロミックパスティール材が配置される。
【００７５】
フォトクロミックパスティール材を、インジケータの数字のスケールの位置に合わせたり、これに関連づけたりすることができる。しかし、図１１に示すように、光強度に応じた異なる大きさを有するようにパスティール材を構成することができる。例えば、パスティール材は、放射強度が増加するにしたがって大きさが大きくなる棒の形態を有することができる。結果的に、ユーザーは、インジケーションの数字なしで信頼できる情報を得ることができる。
【００７６】
図１２及び１３に示す第６の実施形態において、外側要素は、計時器の表盤である。実際に、計時器の風防が理論上十分に透明であることを前提に、フォトクロミックパスティール材を表盤に直接堆積させることを想到することができる。この構成によって、好ましいことに、引っかきや衝撃に伴う損傷のリスクをいずれも回避することができる。
【００７７】
この実施形態は、風防１０８にフィルター被覆が設けられておらず、特定波長の光線全体を前記フォトクロミックパスティール材１２２によって捕捉することができる場合に、可能である。
【００７８】
図１４に示す本発明の好ましい実施形態において、光センサー１２０は、光導波路１２００によって構成している。この光導波路１２００は、複数のパスティール材によって構成している。これらのパスティール材は、ここにおいて、互いに接合ないし結合された区画１２０１の形態を有する。様々な区画１２０１は、必要に応じて、波長が同じ又は異なるようにすることができる。巧みなことに、区画１２０１はそれぞれ、サファイア又はポリメタクリル酸メチルのようなプラスチックのような光導波路のために適切な材料で作られており、フォトクロミック色素が材料に一体化されるように製造される。このようにして、光センサー１２０は、各区画１２０１が、濃度Ｃiが増加するように、異なるフォトクロミック色素の濃度Ｃiを有するように構成している。この構成によって、光センサーが以下のように動作することができる。
【００７９】
この動作は、光導波路に入る光ビームを認識することを伴う。この目的のために入射区画１２０２を用いることができる。入射区画１２０２は、微細構造１２０３を含んでおり、これは、外部からの光を他の区画の方に導くようにこの区画内において配置されている。他の区画１２０１は、最低の濃度Ｃiの区画が入射区画１２０２の直後の位置に配置されているように、最も低い濃度の区画から最高の濃度の区画まで配置されている。このようにして、光強度によって、特定強度と反応する色素を含有する区画１２０１に達するまで、光束が異なる区画１２０１を通り抜ける。なお、区画１２０１から区画へと光束が進むほど、拡散される光が多くなり、その光束が強度を多く減らす。したがって、入射区画１２０２に入る光束の強度が大きいほど、区画１２０１における強度が大きくなり、反応する色素の数が大きくなり、また、暗くなる区数１２０１の数が大きくなる。また、選択されたアプローチによって、光強度の勾配に比例するような区画における色勾配を有することができる。
【００８０】
一例において、外側要素は、ベゼルである。このベゼルには、空欠部があり、その内部に、光センサー１２０が配置されている。ここにおいて、この光センサーには、１１の区画１２０１がある。これらは、入射区画と、フォトクロミック色素を含有する１０の区画１２０１とを含むように分布している。入射区画１２０２は、可視面である上側面１２０２ａを介して光を獲得し、微細構造１２０３を含有する。これによって、光ビームの向きが他の区画に対して９０°形成していることができる。前記の区画の構成を前提とすると、フォトクロミック色素を組み入れた区画は、厚みが１５μｍ〜１５０μｍである紫外線保護層（紫外線対策）１２０４によって被覆されており、これによって、光が区画１２０１内にその上側面を介して入り込むことを防ぐ。
【００８１】
１つの例示的実施形態において、最低濃度は、０．０５％であり、最大濃度は、１．５％である。各区画１２０１の間の間隔は、１ｍｍ〜５ｍｍであることができ、また、好ましくは、分解能を大きくするために、１ｍｍである。
【００８２】
もちろん、第１の実施形態の変種を、この実施形態にも適用することができる。例えば、色管理である。なぜなら、すべての区画が同じ第１の色、又は同じ第２の色、又は異なる第２の色又はシェーディングを有することがあるからである。
【００８３】
添付の請求の範囲によって定められる本発明の範囲から逸脱せずに、上記の本発明の様々な実施形態に対して、当業者にとって明白な様々な変更及び／又は改善及び／又は組み合わせを行うことができることは明らかである。
【００８４】
したがって、赤外線や可視光のスペクトルのような別の波長の放射に対して感受性があるフォトクロミック色素を用いることを想到することができる。また、光センサーが、波長が４００〜３１５ｎｍであるＵＶ−Ａ線又は波長が３１５〜２８０ｎｍであるＵＶ−Ｂ線を検出することができることが好ましく、あるいは波長が２８０〜１００ｎｍであるＵＶ−Ｃ線を検出することができるようにすることもできる。
【００８５】
また、特定波長に対して感受性があるセンサーをそれぞれ備えたいくつかの光センサーを有することができる。ここで、波長が４００〜３１５ｎｍであるＵＶ−Ａ線又は波長が３１５〜２８０ｎｍであるＵＶ−Ｂ線を検出することができ、あるいは波長が２８０〜１００ｎｍであるＵＶ−Ｃ線を検出することができるような携行可能な物を得ることができる。
【００８６】
別の変種において、パスティール材は、フォトクロミックな機能を別の機能と組み合わせる。例えば、光センサーのために見えるようにするために、ダイバーの腕時計におけるアプリケーションにおいて、発光性色素を用いることができる。この場合に、発光性の層が、フォトクロミック層の下に配置される。ここで、このフォトクロミック層が第１の波長範囲に、そして、発光性の層が第２の波長範囲に対して感受性があるように構成している。例えば、フォトクロミック色素が２８０〜４００ｎｍの波長に、そして、フォトクロミック色素の下に位置する発光性色素が１００〜２５０ｎｍの波長に反応することができる。結果的に、昼間には、フォトクロミック色素が、ＵＶレベルのインジケーションのために、透明状態から有色状態に変わり、夜には、フォトクロミック色素が透明状態であり、これによって、発光性色素が時間用の円をディスプレーして、したがって、時間情報を示すことが可能になる。別の例において、サーモクロミック色素を用いて、センサー上の光強度によって発生する臨界温度しきい値に対して反応することを可能にすることを想到することができる。
【図１】
0006405463.tif 000002
【図２】
0006405463.tif 000003
【図３】
0006405463.tif 000004
【図４】
0006405463.tif 000005
【図５】
0006405463.tif 000006
【図６】
0006405463.tif 000007
【図７】
0006405463.tif 000008
【図８】
0006405463.tif 000009
【図９】
0006405463.tif 000010
【図１０】
0006405463.tif 000011
【図１１】
0006405463.tif 000012
【図１２】
0006405463.tif 000013
【図１３】
0006405463.tif 000014
【図１４】
0006405463.tif 000015